(57)【要約】    【課題】  被写体を容易に撮像することができると共に被写体の撮像画像を容易に見ることができる電子手鏡を提供する。    【解決手段】  電子手鏡１００は、本体部１と、本体部１にヒンジ１０により開閉自在に取り付けられた蓋部２とを備える。蓋部２は、その左上部に設置され、被写体を撮像するオートフォーカス機能付きＣＣＤカメラ３と、ＣＣＤカメラ３を保持するＣＣＤカメラホルダ４と、全体左寄りに設置され、１００万〜２００万画素の撮像画像を表示する縦０．０６ｍ、横０．０８ｍの略長方形の液晶画面５とを備える。ＣＣＤカメラホルダ４は、蓋部２の内側面（液晶画面５が取り付けられた面）２ａ側から蓋部２の外側面（内側面２ａと反対側の面）２ｂ側に、１８０°反転自在であり、また、蓋部２に脱着自在に取り付けられている。【選択図】      図１
0003111261.tif 000002
【実用新案登録請求の範囲】
【請求項１】
本体部と、前記本体部に開閉自在に取り付けられた蓋部とを備え、前記蓋部は、その内側面に、被写体を撮像する撮像部と、前記撮像部による撮像画像を表示する表示部とを備える電子手鏡において、前記撮像部は、前記蓋部の内側面側から前記蓋部の外側面側に反転自在であることを特徴とする電子手鏡。
【請求項２】
前記撮像部は、前記蓋部に脱着自在に取り付けられていることを特徴とする請求項１記載の電子手鏡。
【請求項３】
前記本体部は、前記撮像部による撮像画像を反転するための反転ボタンを備えることを特徴とする請求項１又は２記載の電子手鏡。
【請求項４】
前記本体部は、前記撮像部による撮像画像の大きさを変更するためのズームボタンを備えることを特徴とする請求項１乃至３のいずれか１項に記載の電子手鏡。
【請求項５】
前記本体部は、前記表示部に作用するタッチペンを収納するタッチペン収納部を備えることを特徴とする請求項１乃至４のいずれか１項に記載の電子手鏡。
【考案の詳細な説明】
【技術分野】
【０００１】
本考案は電子手鏡に関し、特に、外出先で化粧する時等に使用する電子手鏡に関する。
【背景技術】
【０００２】
従来より、レンズ及びＩＣ型固体撮像素子を組み合わせた簡単な構造のテレビカメラを備え、使用者の顔等を外部の表示装置の画面に映し出すことができる電子手鏡がある（例えば、特開２００３−２１９２２４号公報参照）。
【考案の開示】
【考案が解決しようとする課題】
【０００３】
しかしながら、上記電子手鏡はテレビカメラと表示装置が一体となっていないので、撮像された画像を見るためには、電子手鏡を家庭用テレビ等の表示装置に接続しなければならず、上記電子手鏡単独では、自己の顔等の画像を見ながら化粧したり、自己の手等の画像を見ながらマニキュア等を塗ったり、ネイルアートをしたり、新聞等における小さな文字を拡大して読むことができない。
【０００４】
本考案の目的は、被写体を容易に撮像することができると共に被写体の撮像画像を容易に見ることができる電子手鏡を提供することにある。
【課題を解決するための手段】
【０００５】
上記目的を達成するために、請求項１記載の電子手鏡は、本体部と、前記本体部に開閉自在に取り付けられた蓋部とを備え、前記蓋部は、その内側面に、被写体を撮像する撮像部と、前記撮像部による撮像画像を表示する表示部とを備える電子手鏡において、前記撮像部は、前記蓋部の内側面側から前記蓋部の外側面側に反転自在であることを特徴とする。
【０００６】
請求項２記載の電子手鏡は、請求項１記載の電子手鏡において、前記撮像部は、前記蓋部に脱着自在に取り付けられていることを特徴とする。
【０００７】
請求項３記載の電子手鏡は、請求項１又は２記載の電子手鏡において、前記本体部は、前記撮像部による撮像画像を反転するための反転ボタンを備えることを特徴とする。
【０００８】
請求項４記載の電子手鏡は、請求項１乃至３のいずれか１項に記載の電子手鏡において、前記本体部は、前記撮像部による撮像画像の大きさを変更するためのズームボタンを備えることを特徴とする。
【０００９】
請求項５記載の電子手鏡は、請求項１乃至４のいずれか１項に記載の電子手鏡において、前記本体部は、前記表示部に作用するタッチペンを収納するタッチペン収納部を備えることを特徴とする。
【考案の効果】
【００１０】
請求項１記載の電子手鏡によれば、撮像部は蓋部の内側面側から蓋部の外側面側に反転自在であるので、被写体が内側面側及び外側面側のいずれに存在する場合であっても、被写体を容易に撮像することができると共に被写体の撮像画像を容易に見ることができる。
【００１１】
請求項２記載の電子手鏡によれば、撮像部は蓋部に脱着自在に取り付けられているので、被写体が電子手鏡から離れていても、被写体を容易に撮像することができると共に被写体の撮像画像を容易に見ることができる。
【００１２】
請求項３記載の電子手鏡によれば、本体部には反転ボタンが設置されているので、撮像部による撮像画像を容易に反転することができる。
【００１３】
請求項４記載の電子手鏡によれば、本体部にはズームボタンが設置されているので、撮像部による撮像画像の大きさを容易に変更することができる。
【００１４】
請求項５記載の電子手鏡によれば、本体部にはタッチペン収納部が設置されているので、タッチペンを容易に収納することができる。
【考案を実施するための最良の形態】
【００１５】
以下、本考案の実施の形態を図面を参照しながら詳説する。
【００１６】
図１は、本考案の実施の形態に係る電子手鏡の斜視図である。
【００１７】
図１において、本考案の実施の形態に係る電子手鏡１００は、本体部１と、本体部１にヒンジ１０により開閉自在に取り付けられた蓋部２とを備える。蓋部２は、その右上部に設置され、被写体を撮像するオートフォーカス機能付きＣＣＤカメラ３と、ＣＣＤカメラ３を保持するＣＣＤカメラホルダ４と、全体左寄りに設置され、１００万〜２００万画素の撮像画像を表示する縦０．０６ｍ、横０．０８ｍの略長方形の液晶画面５とを備える。ＣＣＤカメラホルダ４は、蓋部２の内側面（液晶画面５が取り付けられた面）２ａ側から蓋部２の外側面（内側面２ａと反対側の面）２ｂ側に、１８０°反転自在であり、また、蓋部２に脱着自在に取り付けられている。
【００１８】
また、本体部１は、その上面１ａに、ＣＣＤカメラ３による撮像画像を反転制御するための反転ボタン６と、ＣＣＤカメラ３による撮像画像の大きさを拡大するための拡大ズームボタン７と、ＣＣＤカメラ３による撮像画像の大きさを縮小するための縮小ズームボタン８とを備える。なお、これらの拡大ズームボタン７及び縮小ズームボタン８が操作されると、本体部１に内蔵されたメモリ（不図示）に格納された拡大縮小プログラムに基づいてデジタル処理し、本体部１に内蔵された拡大縮小処理部（不図示）が撮像画像の大きさを被写体の０．５〜４倍に拡大又は縮小（デジタルズーム）する。拡大縮小処理部は、例えば、拡大ズームボタン７を押す毎に撮像画像の大きさを被写体の１．５倍、２倍、３倍、４倍と順に拡大し、縮小ズームボタン８を押す毎に撮像画像の大きさを被写体の３倍、２倍、１．５倍、１倍、０．５倍と順に縮小する。なお、斯かる拡大縮小ズームは連続ズームであってもよい。また、本体部１には携帯電話と同様にリチウムイオン電池が内蔵され、携帯電話と同様の方法で充電される。また、ＣＣＤカメラ３による撮像画像は、取り外し自在な他のメモリ（不図示）により格納され、格納された画像は画像再生部（不図示）により再生される。
【００１９】
以下、図１の電子手鏡１００の動作及び使用方法を説明する。
【００２０】
電子手鏡１００は、本体部１の上面１ａと蓋部２の内側面２ａが接した状態（閉状態）から、本体部１の上面１ａと蓋部２の内側面２ａが離間した状態（開状態）に移ると自動的に電源が入力され、液晶画面５のバックライトが点灯する。電源が入力された状態が１０〜１５分続くとアラームが発せられ、電源が入力されてから２０分後には自動的に電源が切れる。
【００２１】
例えば、自己の顔等の画像を見ながら化粧する場合は、ＣＣＤカメラ３が内側面２ａ側に配向されるようにＣＣＤカメラホルダ４を設置し、自己の顔等の画像が見やすくなるように、蓋部２の本体部１に対する角度Ａを調整する。また、例えば、新聞等における小さな文字を拡大して読む場合は、ＣＣＤカメラ３が外側面２ｂ側に配向されるようにＣＣＤカメラホルダ４を反転して、外側面２ｂ側に設置した新聞等の画像が見やすくなるように、蓋部２の本体部１に対する角度Ａを調整する。また、マニキュア等を塗ったり、ネイルアートをしたりする場合は、蓋部２から取り外したＣＣＤカメラホルダ４を、例えば、前後左右に揺動するフレキシブルホルダ（不図示）に取り付けることによって作業を容易に行うことができる。
【００２２】
本実施の形態によれば、ＣＣＤカメラホルダ４は蓋部２の内側面２ａ側から蓋部２の外側面２ｂ側に反転自在であるので、被写体が内側面２ａ側及び外側面２ｂ側のいずれに存在する場合であっても、被写体を容易に撮像することができると共に被写体の撮像画像を容易に見ることができる。
【００２３】
本実施の形態によれば、ＣＣＤカメラホルダ４は蓋部２に脱着自在に取り付けられているので、被写体が電子手鏡１００から離れていても、被写体を容易に撮像することができると共に被写体の撮像画像を容易に見ることができる。
【００２４】
本実施の形態によれば、本体部１にはＣＣＤカメラ３による撮像画像を反転制御するための反転ボタン６が設置されているので、ＣＣＤカメラ３による撮像画像を容易に反転することができる。
【００２５】
本実施の形態によれば、本体部１には拡大ズームボタン７及び縮小ズームボタン８が設置されているので、撮像画像の大きさを容易に変更することができる。
【００２６】
本実施の形態では、ＣＣＤカメラホルダ４は、蓋部２の内側面２ａ側から蓋部２の外側面２ｂ側に１８０度反転されるが、回動角度は１８０度に限定されるものではなく、例えば、回動角度が９０度、４５度、３０度であってもよい。また、回転方向も限定されるものではない。
【００２７】
本実施の形態では、撮像画像が１００万〜２００万画素であるが、これに限定されるものではなく、例えば、３００万画素以上であってもよい。
【００２８】
本実施の形態では、本体部１の上面１ａに、ＣＣＤカメラ３による撮像画像を反転制御するための反転ボタン６と、撮像画像の大きさを拡大するための拡大ズームボタン７と撮像画像の大きさを縮小するための縮小ズームボタン８とが設けられているが、これに限定されるものではなく、例えば、図２に示すように、本体部１の上面１ａに、マウスカーソル２１と、液晶画面５に作用するタッチペンを収納するためのタッチペン収納部２２と、マウスボタン２３とが設けられていてもよい。また、被写体に光を照射するランプが本体部１又は蓋部２に設けられていてもよい。
【００２９】
本実施の形態では、図１に示すように、電子手鏡１００は、ＣＣＤカメラ３、ＣＣＤカメラホルダ４、液晶画面５、反転ボタン６、拡大ズームボタン７、及び縮小ズームボタン８を右利きユーザ用に配置しているが、これに限定されるものではなく、例えば、図３に示すように、配置を左利きユーザ用に変更してもよい。
【００３０】
本実施の形態では、液晶画面５は縦０．０６ｍ、横０．０８ｍの略長方形であるが、大きさや形状はこれに限定されるものではなく、縦０．０３ｍ〜０．１８ｍ、横０．０４ｍ〜０．２４ｍの範囲であれば大きさや形状は何であってもよい。
【００３１】
本実施の形態では、被写体を撮像する撮像機能（ＣＣＤカメラ３）、撮像画像を表示する表示機能（液晶画面５）、撮像画像を拡大又は縮小するズーム機能（拡大ズームボタン７及び縮小ズームボタン８）を有するが、これに限定されるものではなく、例えば、本体部１に機能拡張用スロット（例えば、ＣＦスロット）を内蔵して、ＰＤＡ機能、デジタルカメラ機能、携帯電話機能等の機能を付加してもよい。なお、携帯電話機能を発現するためには、イヤフォーンやマイク等を使用する。
【図面の簡単な説明】
【００３２】
【図１】本考案の実施の形態に係る電子手鏡の斜視図である。
【図２】図１の電子手鏡の変形例の斜視図である。
【図３】図１の電子手鏡の他の変形例の斜視図である。
【符号の説明】
【００３３】
１  本体部
２  蓋部
２ａ  内側面
２ｂ  外側面
３  ＣＣＤカメラ
４  ＣＣＤカメラホルダ
５  液晶画面
１０  ヒンジ
１００  電子手鏡
【図１】
0003111261.tif 000003
【図２】
0003111261.tif 000004
【図３】
0003111261.tif 000005